(57)【要約】      （修正有）【課題】  短絡状態を簡単に作り出し、しかもその状態を簡単かつ、低コストな方法で保持、ロックさせる高精度な短絡工具としてのエンドニッパを提供する。【解決手段】  電気配線工事後の導通（回路）試験に必要な擬似的短絡回路を作り出すために、エンドニッパを、切断することなく電線の芯線を喰い込ませ、電気的接続が得られるようにしたもの。喰い込み深さを可変可能とするため、調整ネジ１が取り付けられたものである。この調整ネジは、対象電線の種別、太さにより、刃の喰い込み寸法を自在に可変できる。短絡状態を保持、ロックする機能として、柄の先端部一方に、ボッチ付き可動レバーを取り付け、それを受け止める溝機構３を備え付け、確実に保持、ロックさせるようにしたもの。【選択図】  図１
2005034559.tif 000002
【特許請求の範囲】
【請求項１】
現行のエンドニッパの使用目的を、電気的接続を目的として、電線種別や太さを選ぶこと無く、又、喰い切ることもまったく無く、狙った効果を得るための必要不可欠な設定として、従来の技術から容易に考案される喰い込みストッパー（図１−１）と、この刃開き寸法の設定変更に追随して、短絡状態を簡単に精度良く保持、ロックさせるように、ボッチ付き可動レバー（図１−２，４）と、それを受け止める溝機構（図１−３）を兼ね備えた短絡目的の導通（回路）試験用エンドニッパ。
【発明の詳細な説明】
【技術分野】
【０００１】  本発明は、電気工事の導通（回路）試験を実施する際に必要とされる、電気的接続（擬似的短絡回路）を作り出すエンドニッパ工具に関する。
【背景技術】
【０００２】  電気工事の導通（回路）試験は、配線回路に擬似的な短絡回路を作り出し、その状態を各ケーブルの端末で確認する試験である。その擬似的短絡回路の作成方法としては、従来、図４、図５の方法がほとんどである。
図４の場合は、被覆を剥ぎ取り、芯線をツイストさせたものであり、図５の場合は、被覆を剥ぎ取り、芯線にクリップ付きリード線を取り付けたものである。【０００３】  一方、ニッパとしてのワーク開口調整機構としては、（特許文献１）がある。
これは、柄の開き止めストッパーを目的とした機構である。【０００４】  又、ニッパで挟んだ状態を維持する機構を安価に提供しようとするものとしては、（特許文献２）がある。
これは、柄同士をファスナー付きバンドで巻きつけ、挟んだ状態を維持するものである。収納時の開き止めとしては有効であるが、ワーク的挟み状態の維持としては、挟み強度のバラツキが予想され、精度が目的要求に適さないものと推測される。
【特許文献１】  特開平０９−１５５７５０
【特許文献２】  実開平０５−０２９６７３
【発明の開示】
【発明が解決しようとする課題】
【０００５】  電気工事の導通（回路）試験における擬似的短絡回路の作成方法としては、現在、上述の通りであるが、その試験をする際の短絡回路の作り出しは、一現場内で、無数に上り、作業性に欠ける従来の方法に対し、改善を求められていた。
これらに必要とされる機能としての参考文献は、（特許文献１，２）等があるが、導通（回路）試験用の短絡工具としての現行のエンドニッパには、これらを満足させる工具が無く、必要とされていた。
又、本来電気工事の施工上、実施しなければいけない導通（回路）試験も、それらの要因から、実施率を低下させている。【０００６】  そこで本発明は、これらの課題を解消するべく創出されたものであり、短絡状態を簡単に作り出し、しかもその状態を簡単かつ、低コストな方法で保持、ロックさせる高精度な短絡工具を提供するものである。
【課題を解決するための手段】
【０００７】  上述の目的を達成すべく、本考案の第１手段は、電線、ケーブルをエンドニッパで短絡状態を作り出すために、本来の工具としての目的である切断機能を、刃が電線の芯線に喰い込む機能に変更し、喰い切ることなく電気的接続が得られるように調整ネジ（図１−１）を取り付けたものである。この調整ネジは、対象電線種別や太さにより、刃部の喰い込み寸法を可変できるように取り付けられたものである。【０００８】  第２の手段として、その短絡状態を保持、ロックさせる機能を付加したものである。
方法としては、柄の先端部一方に、ボッチ付き可動レバー（図１−２，４）を取り付け、もう一方には、それを受け止める溝機構（図１−３）を備え付けたものである。
尚、ボッチ付き可動レバーのボッチは、可動レバーにネジ込みされたものであり、これにより、ネジ込み深さを可変できるようにして、刃開き寸法の設定変更に追随させるものである。
【発明の効果】
【０００９】  電気配線の導通（回路）試験に必要とされる擬似的短絡状態を、瞬間的及び継続的な両面の短絡を、瞬時に作り出すことが出来ることはもちろんのこと、電線種別や太さの変化に対しても、刃の喰い込み調整ネジと、ボッチ付き可動レバーで、狙った効果を高精度でしかも維持、継続が出来る。【００１０】  工事現場の導通（回路）試験では、擬似的短絡回路の継続的作成方法としては、図４、図５の方法がほとんどである。図４は、ケーブルから芯線を取り出し、ツイストさせたものであり、図５は、クリップ付きリード線を取り付けて短絡させる方法である。又、短絡回路を作り出す瞬間的方法としては、電工が携行しているペンチの刃で喰い込ませて、短絡させる方法が主である。
このような方法による導通（回路）試験を実施した場合、通常作業では、テスター及びブザーで導通（短絡）をチェックする人と、試験対象回路を短絡させる人の２人を必要とされた作業が、本発明品を使用し、短絡回路の保持、ロック機能を活用することで、一人でしかも簡単に試験を実施することが出来る。すなわち、本発明品により、導通（回路）試験が通常作業に比較し、一人の省人化につながる工具である。【００１１】  又、本発明品の機能である刃の喰い込み調整方法と、喰い込み状態（図３）の保持、ロック方法としては、従来の方法を含め、数多くの方法が考えられるが、もっともシンプルで、しかも安価で狙った効果を瞬間的、継続的両面で、要求精度を満足させることの出来る工具をここに提案するものである。【００１２】  このように本発明は、狙った効果を瞬時に、又、簡単に得ることが出来、その精度は非常に高いものである。しかも、その作業が脚立等の高い位置で実施する機会も多いことから、その作業が、簡単でしかも、瞬間的に実施可能なことにより、作業上の安全性を高めることが出来るといった有益な種々の効果を奏するものである。
【発明を実施するための最良の形態】
【００１３】  以下、図面を参照して本発明の実施形態を詳細に説明する。【００１４】  本発明エンドニッパの主な構成は、電線を喰い込んだときの刃の喰い込み深さを調整する喰い込みストッパー（図１−１）と、その喰い込んだ状態を保持、ロックするボッチつき可動レバー（図１−２，３、４）を備えたエンドニッパである。【００１５】  使用目的が、電気工事の導通（回路）試験をするための、擬似的短絡回路を作り出す短絡工具であるため、喰い込んだ時（図３）、切断することなく高精度な電気的接続が得られる工具で無ければならない。【００１６】  そこで、喰い込んだ時、切断することなく、精度の高い電気的接続を得るため、エンドニッパの柄を握り締めた時、刃同士が設定間隔以上に近付かないように、喰い込みストッパー（図１−１）を取り付けたものである。
これは、対象電線の種別により太さが違うため、その電線を切断することなく電気的接続を得られる喰い込みを設定させる目的がある。【００１７】  たとえば、屋内配線に一般的に使用される芯線２．０ｍｍのＦケーブルの場合は、刃同士の逃げ寸法を１．５ｍｍ位になるように喰い込み調整ネジを合わせることにより、理論的には、０．５ｍｍの喰い込みとなる。しかし実際には、芯線を喰い込んだ時の反作用があり、電気的接続程度の喰い込みにしかならない。又、継続的使用では、工具の歪みが発生することが予想され、喰い込み調整ネジは、それを矯正し、工具に求める品質精度を維持させる目的でもある。【００１８】  電気工事の導通（回路）試験に必要とされる擬似的短絡は、瞬間的、継続的の両面を持つ電気的接続が求められる。
瞬間的短絡を求めるものであれば、通常のエンドニッパ、電工が携行するペンチで十分である。
しかし、もう一方の継続的短絡を求める場合、その状態をロックさせる機能が要求される。
本発明の短絡エンドニッパでの保持、ロック機能は、この工具に適した、より安価で、簡単に保持、ロックさせ、その精度を追及した構造である。【００１９】  その方法としては、柄の一方に、ボッチ付きレバー（図１−２）を丸ピン等で取り付け（図１−４）、そこを軸として、自在に回転方向に可動するようにし、もう一方の柄には、ボッチ付きレバーのボッチ部を受け止める割れ溝を取り付けた柄（図１−３）にすることである。【００２０】  短絡対象電線の色々な種別の太さに対し、あらかじめ刃の喰い込み深さ調整ねじで設定された刃の逃げ寸法に比例して、柄の反対側の開きも大きくなる。それに準じた保持、ロック機能とするため、ボッチ部は、レバーにねじ込み方式とし、開きの変化に対し、ボッチ部の長さを調整可能な構造としたものである。
ボッチ部のレバー側は、割れ溝に入りやすいように、テーパのかかった構造とする。
尚、継続的使用では、工具の歪み発生が予想され、ボッチ部のネジ込み方式は、その歪みを矯正し、工具に求める品質、精度を維持させる目的も兼ね備えた工具である。
【実施例】
【００２１】  電気工事の配線後に実施する導通（回路）試験方法としては、対象配線内に、擬似的短絡回路を作り、その状態をテスター、ブザーでチェックする方法がほとんどである。
この試験に関する特許文献としては、（特願２００２−３４１５３３）があり、その方法は、図６である。システムとしては、たとえば、コンセント部を短絡させると、その配線回路の大元である電源盤部に取り付けられた送信器が、短絡（導通）状態を検地し、受信器にその信号を発する。それにより試験作業者は、情報信号を携行している受信器で、音の鳴動、光の点灯により短絡（導通）状態を瞬時に確認する方法である。
スイッチ付き照明回路においては、スイッチ回路の照明として配線したケーブル先端を短絡させておき、あらかじめ取り付けてあるスイッチを入り切りさせ、コンセントと同様に瞬時に音と光で回路状態を確認可能としたシステムである。
このシステム上で頻繁に必要とされる短絡作業は、コンセント部では瞬間的短絡を必要とし、スイッチ回路部では、継続的短絡を必要とされる。
本発明は、これら両面の短絡方法を満足させる工具であり、このシステムで使用すれば、狙った効果を一瞬にして作り出し、導通（回路）試験の作業を飛躍的に高めるものである。それにより、本来実施すべき試験の実施率を高め、客先品質を向上させるものである。
【産業上の利用可能性】
【００２２】  本発明品は、電気工事配線後の導通（回路）試験補助工具として考案したが、布設配線の行き先調査用としての擬似的短絡を作り出す工具としての需要も見込まれる。
つまり、電線を扱う全業者に受け入れられる工具となり得るものである。
【図面の簡単な説明】
【図１】本発明品の正面図
【図２】本発明品の側面図
【図３】本発明品を使用して、Ｆケーブル電線を喰い込んでいる状況図（電気的接続状態）
【図４】従来のＦケーブル電線短絡方法その１
【図５】従来のＦケーブル電線短絡方法その２
【図６】特願２００２−３４１５３３の導通（回路）試験システムの概略図
【符号の説明】
１    ロック式喰い込みストッパー
２    ボッチ付き可動レバー
３    溝機構の柄
４    ボッチ付き可動レバーの柄
【図１】
2005034559.tif 000003
【図２】
2005034559.tif 000004
【図３】
2005034559.tif 000005
【図４】
2005034559.tif 000006
【図５】
2005034559.tif 000007
【図６】
2005034559.tif 000008